(57)【要約】【課題】スパウト部材がスパウト内流路形成部材を第１開口部からスパウト部材の内部に挿入することによりスパウト部材内の流路を形成するように構成されている場合であっても、水が表面張力により吐水口形成部材の吐水口からスパウト部材の外面に沿って流出してしまうことを抑制することができる水栓装置を提供する。【解決手段】本発明の水栓装置１は、水栓本体８と、スパウト内流路形成部材２０と、吐水口形成部材２２と、スパウト部材４であって、スパウト部材４は、第１開口部４ａ及び第２開口部４ｂを形成し、スパウト内流路形成部材２０を第１開口部からスパウト部材の内部に挿入することによりスパウト内流路形成部材がスパウト部材内の流路を形成するスパウト部材４と、吐水口形成部材２２をスパウト部材４の第２開口部４ｂより下方側に突出させた状態で取付けるように形成されるアダプタ部材２４とを備える。【選択図】図５
2019218801.tif 000002
【特許請求の範囲】
【請求項１】
供給された水を吐水する水栓装置であって、
設置面に固定される水栓本体と、
内部に水を通水する流路を形成するスパウト内流路形成部材と、
吐水口を形成する吐水口形成部材と、
上記水栓本体と一体に形成され且つ上記水栓本体と交差する方向に延びるスパウト部材であって、上記スパウト部材は、上記水栓本体と逆側の先端部に上記スパウト内流路形成部材を挿入する第１開口部を形成すると共に、上記先端部の側の側面の下部に上記吐水口形成部材を取付ける第２開口部を形成し、上記スパウト内流路形成部材を上記第１開口部から上記スパウト部材の内部に挿入することにより上記スパウト内流路形成部材が上記スパウト部材内の流路を形成する上記スパウト部材と、
上記スパウト部材の上記第２開口部から挿入されることにより上記スパウト内流路形成部材と接続されるアダプタ部材であって、上記アダプタ部材は、上記スパウト内流路形成部材から上記第２開口部に向かう流路を形成すると共に、上記吐水口形成部材を上記スパウト部材の上記第２開口部より下方側に突出させた状態で取付けるように形成されている上記アダプタ部材とを備えることを特徴とする水栓装置。
【請求項２】
上記アダプタ部材は、アダプタ外観部であって、上記スパウト内流路形成部材の外装側部分に接続される接続部と、上記吐水口形成部材の外側面に形成された吐水口形成部材ねじ部と螺合するように自身の内側面に形成されたアダプタ部材ねじ部とを備える上記アダプタ外観部と、
上記スパウト内流路形成部材内の流路とのシール部分を形成すると共に、上記吐水口形成部材とのシール部分を形成し、上記スパウト内流路形成部材から上記吐水口形成部材まで延びる流路を形成するアダプタ通水部とを備える、請求項１記載の水栓装置。
【請求項３】
上記アダプタ部材は、さらに、弾性部材により環状に形成された止め輪を備え、
上記アダプタ部材の上記アダプタ外観部は、上記止め輪が上記アダプタ外観部の内側に位置している状態において、上記止め輪の自然状態の外径より内側まで延びるフランジ部を備え、
上記スパウト内流路形成部材は、上記第２開口部の側の開口部側端部に、上記第２開口部の奥側に向けて外側に傾斜する第１テーパ部であって、上記第１テーパ部は、上記止め輪を上記第２開口部から上記スパウト内流路形成部材に向けて挿入するにしたがって上記止め輪の外径を広げるように形成され、さらに、上記第１テーパ部の終端部の外径は上記止め輪の自然状態の内径よりも大きい、上記第１テーパ部と、
上記第１テーパ部の終端部よりも奥側において、上記第１テーパ部の終端部の外径よりも小さな外径を有する止め輪保持部とを備えている、請求項２に記載の水栓装置。
【請求項４】
上記第１テーパ部の基端部の外径は、上記止め輪の自然状態の内径より小さく、上記第１テーパ部の上記終端部は、上記止め輪保持部と隣接して形成されている、請求項３に記載の水栓装置。
【請求項５】
上記アダプタ部材の上記アダプタ外観部は、上記止め輪保持部と対向する内側面に、上記第２開口部の奥側に向かうにつれて内側に傾斜している第２テーパ部を備える、請求項４に記載の水栓装置。
【請求項６】
上記アダプタ部材の上記アダプタ外観部は、さらに、上記第２テーパ部の終端部から、上記アダプタ外観部の挿入方向に沿って延びる挿入ガイド部を備える、請求項５記載の水栓装置。
【請求項７】
上記止め輪は、樹脂製のＣリング部材である、請求項３乃至６の何れか１項に記載の水栓装置。
【発明の詳細な説明】
【技術分野】
【０００１】
本発明は、水栓装置に係り、特に、供給された水を吐水する水栓装置に関する。
【背景技術】
【０００２】
従来から、供給された水を吐水する水栓装置として、例えば、特許文献１に記載されているように、水栓本体部と、水栓本体部に着脱可能に取付けられた吐水ヘッドとを備えているものが知られている。
この従来の水栓装置においては、吐水ヘッドを水栓本体部から取り外すことにより吐水ヘッド内に内管を配置して内部流路を形成している。
【先行技術文献】
【特許文献】
【０００３】
【特許文献１】特開２０１７−１３３３２７号公報
【発明の概要】
【発明が解決しようとする課題】
【０００４】
しかしながら、上述した従来の水栓装置においては、水栓本体部と吐水ヘッド（スパウト）との間に取付用の継ぎ目が形成されることとなる。このような継ぎ目にごみなどの汚れが付着するという問題がある。また、このような継ぎ目は清掃性が悪いという問題もある。
【０００５】
そこで、発明者は、水栓本体部と吐水ヘッド（スパウト）との間に取付用の継ぎ目が形成されないような水洗装置を開発すべく鋭意研究を行っている。水栓本体部とスパウトとの間に継ぎ目を形成しないためには、水栓本体部とスパウトとを一体に形成することとなる。水栓本体部とスパウトとを一体に形成する場合、スパウトの内部流路部材をスパウトの先端から挿入することにより内部流路部材をスパウトの内部に配置する必要がある。よって、スパウトの内部流路部材の外径は、スパウトの内径以下である必要がある。従って、吐水口部材をスパウトの先端に後から取付ける場合、スパウトの内部流路部材と、吐水口部材とを水密に接合する部分がスパウトの内径より内部側に位置することとなる。これにより、吐水口部材の吐水口がスパウトの外面と近接している状態で取付けられることとなり、吐水停止後等に水が表面張力により吐水口部材の吐水口からスパウトの外面に沿って流出してしまうという問題がある。
【０００６】
そこで、本発明は、上述した従来技術の問題や近年要請された課題を解決するためになされたものであり、スパウト部材がスパウト内流路形成部材を第１開口部からスパウト部材の内部に挿入することにより上記スパウト部材内の流路を形成するように構成されている場合であっても、水が表面張力により吐水口形成部材の吐水口からスパウト部材の外面に沿って流出してしまうことを抑制することができる水栓装置を提供することを目的としている。
【課題を解決するための手段】
【０００７】
上述した課題を解決するために、本発明は、供給された水を吐水する水栓装置であって、設置面に固定される水栓本体と、内部に水を通水する流路を形成するスパウト内流路形成部材と、吐水口を形成する吐水口形成部材と、上記水栓本体と一体に形成され且つ上記水栓本体と交差する方向に延びるスパウト部材であって、上記スパウト部材は、上記水栓本体と逆側の先端部に上記スパウト内流路形成部材を挿入する第１開口部を形成すると共に、上記先端部の側の側面の下部に上記吐水口形成部材を取付ける第２開口部を形成し、上記スパウト内流路形成部材を上記第１開口部から上記スパウト部材の内部に挿入することにより上記スパウト内流路形成部材が上記スパウト部材内の流路を形成する上記スパウト部材と、上記スパウト部材の上記第２開口部から挿入されることにより上記スパウト内流路形成部材と接続されるアダプタ部材であって、上記アダプタ部材は、上記スパウト内流路形成部材から上記第２開口部に向かう流路を形成すると共に、上記吐水口形成部材を上記スパウト部材の上記第２開口部より下方側に突出させた状態で取付けるように形成されている上記アダプタ部材とを備えることを特徴としている。
このように構成された本発明においては、水栓本体とスパウト部材との間の継ぎ目を無くすように、水栓本体と一体に形成され且つ水栓本体と交差する方向に延びるスパウト部材において、二重管構造を形成するためには、スパウト内流路形成部材を第１開口部からスパウト部材の内部に挿入することによりスパウト部材内の流路を形成する。
これにより、仮に吐水口形成部材をスパウト内流路形成部材に直接接続する場合には、取付部分がスパウト部材内の第１開口部の大きさよりも半径方向内側に位置し、吐水口形成部材を第２開口部より下方側に突出させた状態で取付けることができず、水が表面張力により吐水口形成部材の吐水口からスパウト部材の第２開口部及びさらに下方側の外面に沿って水栓本体の設置面に流出してしまう恐れがある。
本発明においては、スパウト部材がスパウト内流路形成部材を上記第１開口部から上記スパウト部材の内部に挿入することにより上記スパウト部材内の流路を形成するように構成されている場合であっても、アダプタ部材がスパウト部材の上記第２開口部から挿入されることにより上記スパウト内流路形成部材と接続され、さらに、アダプタ部材は、上記スパウト内流路形成部材から上記第２開口部に向かう流路を形成すると共に、上記吐水口形成部材を上記スパウト部材の上記第２開口部より下方側に突出させた状態で取付けることができる。よって、水が表面張力により吐水口形成部材の吐水口からスパウト部材の第２開口部及びさらに下方側の外面に沿って流出してしまうことを抑制することができる。また、アダプタ部材の長さを変更する又は異なる長さのものに取り換えることにより、吐水口形成部材のスパウト部材の第２開口部より下方側への突出量を自由に設定することができる。
【０００８】
本発明において、好ましくは、上記アダプタ部材は、アダプタ外観部であって、上記スパウト内流路形成部材の外装側部分に接続される接続部と、上記吐水口形成部材の外側面に形成された吐水口形成部材ねじ部と螺合するように自身の内側面に形成されたアダプタ部材ねじ部とを備える上記アダプタ外観部と、上記スパウト内流路形成部材内の流路とのシール部分を形成すると共に、上記吐水口形成部材とのシール部分を形成し、上記スパウト内流路形成部材から上記吐水口形成部材まで延びる流路を形成するアダプタ通水部とを備える。
このように構成された本発明においては、アダプタ部材において、アダプタ部材の外観を形成し且つスパウト内流路形成部材と吐水口形成部材とを接続するアダプタ外観部と、スパウト内流路形成部材から吐水口形成部材まで延びる流路を形成するアダプタ通水部とを分けることができる。このため、外観を形成するアダプタ外観部に金属材料を用いた場合に、アダプタ通水部内を通水する水がアダプタ外観部の金属に接触することを抑制することができる。
【０００９】
本発明において、好ましくは、上記アダプタ部材は、さらに、弾性部材により環状に形成された止め輪を備え、上記アダプタ部材の上記アダプタ外観部は、上記止め輪が上記アダプタ外観部の内側に位置している状態において、上記止め輪の自然状態の外径より内側まで延びるフランジ部を備え、上記スパウト内流路形成部材は、上記第２開口部の側の開口部側端部に、上記第２開口部の奥側に向けて外側に傾斜する第１テーパ部であって、上記第１テーパ部は、上記止め輪を上記第２開口部から上記スパウト内流路形成部材に向けて挿入するにしたがって上記止め輪の外径を広げるように形成され、さらに、上記第１テーパ部の終端部の外径は上記止め輪の自然状態の内径よりも大きい、上記第１テーパ部と、上記第１テーパ部の終端部よりも奥側において、上記第１テーパ部の終端部の外径よりも小さな外径を有する止め輪保持部とを備えている。
このように構成された本発明においては、第１テーパ部は、上記止め輪を上記第２開口部側から上記第２開口部の奥側に向けて挿入するにしたがって上記止め輪の外径を広げることができ、止め輪は第１テーパ部の終端部よりも奥側において上記第１テーパ部の終端部の外径よりも小さな外径を有する止め輪保持部に保持されることができる。よって、止め輪を第１テーパ部から止め輪保持部まで挿入することによりアダプタ部材とスパウト内流路形成部材とを接続することができる。
【００１０】
本発明において、好ましくは、上記第１テーパ部の基端部の外径は、上記止め輪の自然状態の内径より小さく、上記第１テーパ部の上記終端部は、上記止め輪保持部と隣接して形成されている。
このように構成された本発明においては、第１テーパ部の上記終端部は、上記止め輪保持部と隣接して形成されている。これにより、止め輪が十分に止め輪保持部に保持されていない状態においては、止め輪が自身の弾性力により第１テーパ部の終端部から基端部に向けて抜けるように移動することができる。よって、止め輪が十分に止め輪保持部に保持されていない状態のまま、止め輪が第１テーパ部の終端部近傍に留まってしまうことを抑制することができる。
【００１１】
本発明において、好ましくは、上記アダプタ部材の上記アダプタ外観部は、上記止め輪保持部と対向する内側面に、上記第２開口部の奥側に向かうにつれて内側に傾斜している第２テーパ部を備える。
このように構成された本発明においては、第２テーパ部は第２開口部の奥側に向かうにつれて内側に傾斜しているので、アダプタ部材に第２開口部の手前側に抜ける力がかかる場合に、第２テーパ部によって止め輪に半径方向内側の止め輪保持部に向かう力がかかる。よって、止め輪は、止め輪保持部によりより強く保持され、止め輪が止め輪保持部から脱落することを抑制することができる。
【００１２】
本発明において、好ましくは、上記アダプタ部材の上記アダプタ外観部は、さらに、上記第２テーパ部の終端部から、上記アダプタ外観部の挿入方向に沿って延びる挿入ガイド部を備える。
このように構成された本発明においては、挿入ガイド部がアダプタ外観部の挿入方向に沿って延び、アダプタ外観部の挿入をガイドできるので、アダプタ部材の挿入(組立)の作業性を向上させることができる。また、アダプタ外観部が挿入ガイド部を備えることにより、アダプタ部材の挿入時に、止め輪及びアダプタ外観部の中心軸の位置合わせが比較的容易となり、挿入の作業性を向上させることができる。
【００１３】
本発明において、好ましくは、上記止め輪は、樹脂製のＣリング部材である。
このように構成された本発明においては、止め輪が、樹脂製のＣリング部材であるので、アダプタ部材がスパウト内流路形成部材から抜ける抜け止めの効果を奏すると共に、止め輪を第２開口部側からスパウト内流路形成部材に向けて挿入する作業を比較的簡単に行うことができる。よって、抜け止めの効果と挿入する作業の作業性の向上とをバランスよく実現することができる。
【発明の効果】
【００１４】
本発明の水栓装置によれば、スパウト部材がスパウト内流路形成部材を第１開口部からスパウト部材の内部に挿入することによりスパウト部材内の流路を形成するように構成されている場合であっても、水が表面張力により吐水口形成部材の吐水口からスパウト部材の外面に沿って流出してしまうことを抑制することができる。
【図面の簡単な説明】
【００１５】
【図１】本発明の一実施形態による水栓装置を側方から見た側面図である。
【図２】本発明の一実施形態による水栓装置の分解斜視図である。
【図３】本発明の一実施形態による水栓装置を一部分解した状態で示す中央断面図である。
【図４】本発明の一実施形態による水栓装置を一部分解した状態で示す正面図である。
【図５】本発明の一実施形態による水栓装置のスパウト部材の先端部におけるスパウト内流路形成部材及びアダプタ部材を示す部分拡大断面図である。
【図６】本発明の一実施形態による水栓装置においてスパウト内流路形成部材にアダプタ部材のアダプタ外観部と止め輪を取付ける前の状態を示す部分拡大断面図である。
【図７】本発明の一実施形態による水栓装置においてスパウト内流路形成部材にアダプタ部材のアダプタ外観部と止め輪を取付ける途中の状態を示す部分拡大断面図である。
【図８】本発明の一実施形態による水栓装置においてスパウト内流路形成部材にアダプタ部材のアダプタ外観部と止め輪を取付ける途中の状態を示す部分拡大断面図である。
【図９】本発明の一実施形態による水栓装置においてスパウト内流路形成部材にアダプタ部材のアダプタ外観部と止め輪を取付ける途中の状態を示す部分拡大断面図である。
【図１０】本発明の一実施形態による水栓装置においてスパウト内流路形成部材にアダプタ部材のアダプタ外観部と止め輪を取付けた状態を示す部分拡大断面図である。
【図１１】本発明の一実施形態による水栓装置においてスパウト内流路形成部材にアダプタ部材のアダプタ外観部、止め輪及びアダプタ通水部を取付けた状態を示す部分拡大断面図である。
【発明を実施するための形態】
【００１６】
以下、添付図面を参照して本発明の一実施形態による水栓装置について説明する。
まず、図１は、本発明の一実施形態による水栓装置を側方から見た側面図である。
図１に示すように、本発明の一実施形態による水栓装置１は、給湯源（図示せず）から供給される湯と給水源（図示せず）から供給される水とを混合して吐止水する、いわゆる、「シングルレバー式」と呼ばれる水栓装置であり、台所のシンク又は洗面台のシンクの外側にあるカウンター等の設置面Ｆ１上に設置されている。
すなわち、このシングルレバー式の水栓装置１においては、いわゆる、「シングルレバー」と呼ばれる単一の操作ハンドル２が手動で回動操作されることにより、流量と温度が調整された水である湯水がスパウト部材４の先端側に設けられた吐水口６から吐止水されるようになっている。本実施形態において使用する用語「水」は、湯と水が混合された湯水のみならず、給水源（図示せず）から供給される水、給湯源（図示せず）から供給される湯も含む意味で使用されている。本実施形態においては、「水」は、温度の異なる「湯水」を含む。
【００１７】
つぎに、図１〜図４により、本発明の一実施形態による水栓装置の内部構造について具体的に説明する。
図２は、本発明の一実施形態による水栓装置の分解斜視図であり、図３は、本発明の一実施形態による水栓装置を一部分解した状態で示す中央断面図であり、図４は、本発明の一実施形態による水栓装置を一部分解した状態で示す正面図である。図３は、水栓機能ユニット１２の内部構造を省略して示している。さらに、図３及び図４は、操作ハンドル２を省略して示している。
まず、図１に示すように、本実施形態の水栓装置１は、水栓装置１が設置される設置面Ｆ１に固定される水栓本体８を備えている。水栓本体８は、筒状の外殻部材１０と、外殻部材１０の内部に設けられた水栓機能ユニット１２とを備えている。
【００１８】
外殻部材１０は、水栓装置１が設置される設置面Ｆ１に固定されている。外殻部材１０は、設置面Ｆ１から上方に立ち上がるように形成される。外殻部材１０は、金属材料で形成されていてもよいし、樹脂材料で形成されていてもよい。
【００１９】
水栓機能ユニット１２には、給湯器等の給湯源（図示せず）から湯を供給する湯供給管１４と、水道等の給水源（図示せず）から水を供給する水供給管１６とが下方から接続されている。湯供給管１４及び水供給管１６のそれぞれは、水栓機能ユニット１２より上流側の一次側通水路を形成している。水栓機能ユニット１２は、シングルレバー式の水栓装置１の一般的な水栓機能ユニットであるので、その詳細な構造については説明を省略する。水栓機能ユニット１２は、湯供給管１４から供給される湯と水供給管１６から供給される水とを混合させる又は混合させないような機能、及び水を吐水口６から吐水させる、止水させる、又は流量を調整する機能を備えている。
【００２０】
水栓機能ユニット１２は、操作ハンドル２と接続され、操作ハンドル２の操作に応じて機械的に動作される。
図１に示すように、より具体的には、例えば、水栓機能ユニット１２は、操作ハンドル２が矢印「閉」の方向の最下方の止水操作位置に設定されている場合には、吐水口６から吐出される水を止水させる機能を有する。
また、水栓機能ユニット１２は、操作ハンドル２が止水操作位置から矢印「開」の方向の上方の操作位置に回動操作された場合には、吐水口６から吐出される水を吐水状態に設定する機能を有する。
また、水栓機能ユニット１２は、操作ハンドル２が、吐水状態において、より上方（図１に示す矢印「開」の方向）に回動操作される程、水の流量を大きく設定し、操作ハンドル２が、より下方（図１に示す矢印「閉」の方向）に回動操作される程、水の流量を小さく設定する機能を有する。
【００２１】
さらに、図２に示すように、水栓機能ユニット１２は、操作ハンドル２が水栓装置１の鉛直方向に延びる中心軸線（回転中心軸線Ａ１）を中心に水側（図１に示す矢印「Ｃ」側）に回動操作された場合には、吐水口６から吐出される水の温度を低温側に設定する機能を有する。
さらに、水栓機能ユニット１２は、操作ハンドル２が回転中心軸線Ａ１を中心に湯側（図１に示す矢印「Ｈ」側）に回動操作された場合には、吐水口６から吐出される水の温度を高温側に設定する機能を有する。
【００２２】
次に、図２及び図３に示すように、水栓装置１は、水栓本体８と一体に形成され且つ水栓本体８と交差する方向に延びるスパウト部材４と、水栓機能ユニット１２より下流側の二次側通水路１８を形成するスパウト内流路形成部材２０と、吐水口６を形成する吐水口形成部材２２と、スパウト内流路形成部材２０と接続されるアダプタ部材２４とを備えている。
【００２３】
図３に示すように、スパウト部材４は、水栓本体８の外殻部材１０と一体に形成されているので、スパウト部材４と外殻部材１０との間に部材の継ぎ目が現れないようになっている。よって、スパウト部材４は、水栓本体８との一体的な美観を生じることができる。スパウト部材４は、水栓本体８から横方向の斜め上方に向けて延びる。
【００２４】
スパウト部材４は、水栓本体８側と逆側の先端部にスパウト内流路形成部材２０を挿入する第１開口部４ａを形成すると共に、先端部側の側面の下部に吐水口形成部材２２を取付ける第２開口部４ｂを形成している。スパウト内流路形成部材２０を第１開口部４ａからスパウト部材４の内部に挿入することによりスパウト内流路形成部材２０がスパウト部材４内の流路を形成している。
以下、本発明の一実施形態における説明において、後述するスパウト部材４の第２開口部４ｂの中心方向側を内側とし、第２開口部４ｂの半径方向外側を外側とし、第２開口部４ｂに対してスパウト部材４の内部側を奥側とし、第２開口部４ｂに対してスパウト部材４の外部側を手前側として説明している。
【００２５】
図４に示すように、第１開口部４ａはスパウト部材４の先端部の正面側に設けられている。第１開口部４ａは円形の開口を形成している。第１開口部４ａはスパウト内流路形成部材２０の取付用の開口である。スパウト部材４は、基端部から先端部まで第１開口部４ａの内径Ｄ１とほぼ同じ内径Ｄ１の内部空間を形成している。第１開口部４ａの内径Ｄ１は、スパウト内流路形成部材２０の最大の外径部分においての外径Ｄ２よりも大きい。スパウト部材４は、さらに、第１開口部４ａを閉じる蓋部２６を備えている。
【００２６】
図３に示すように、スパウト内流路形成部材２０は、スパウト部材４の内側に配置され、自身の内部に水を通水する流路である二次側通水路１８を形成する。スパウト内流路形成部材２０は、水栓機能ユニット１２に接続され、二次側通水路１８は水栓機能ユニット１２内の流路に接続されている。スパウト内流路形成部材２０は、スパウト部材４の基端部から先端部までの二次側通水路１８を形成するように縦長に形成される。スパウト内流路形成部材２０は、直線状且つ細長い円筒状に形成されている。二次側通水路１８は、スパウト部材４の先端部において第２開口部４ｂ側に向かう流路を形成している。
なお、図４に示すように、スパウト内流路形成部材２０は第１開口部４ａからスパウト部材４の内部に挿入される部材であるため、スパウト内流路形成部材２０の外径Ｄ２は、スパウト内流路形成部材２０の全体にわたって第１開口部４ａの内径Ｄ１よりも小さい。スパウト内流路形成部材２０は、第１開口部４ａから挿入するように直線状且つ棒状に形成されており、第２開口部４ｂから挿入することが比較的困難又はできないように形成されている。
【００２７】
吐水口形成部材２２は、比較的薄い円盤状に形成されている。吐水口形成部材２２の外周面には、吐水口形成部材ねじ部２２ａ（図５参照）が形成されている。吐水口形成部材２２は、泡沫キャップを形成している。吐水口形成部材２２は、下端面に複数の吐水口６を形成する。吐水口形成部材２２は、自身の上部の流入部２２ｂから流入した水を下部の吐水口６に通水する流路を形成している。
【００２８】
次に、図２〜図５により、本発明の一実施形態による水栓装置のアダプタ部材及びアダプタ部材を取付るスパウト内流路形成部材の構造について具体的に説明する。
図５は、本発明の一実施形態による水栓装置のスパウト部材の先端部におけるスパウト内流路形成部材及びアダプタ部材を示す部分拡大断面図である。
アダプタ部材２４は、スパウト部材４の第２開口部４ｂから挿入されることによりスパウト内流路形成部材２０と接続される。アダプタ部材２４は、スパウト内流路形成部材２０から第２開口部４ｂ側に向かう流路を形成する。さらに、アダプタ部材２４は、吐水口形成部材２２をスパウト部材４の第２開口部４ｂの外面の下面４ｃより下方側に突出させた状態で取付けるように形成されている。
【００２９】
アダプタ部材２４は、外側の外観部分を形成するアダプタ外観部２８と、内側の流路を形成するアダプタ通水部３０と、弾性部材により環状に形成された止め輪４２とを備える。
アダプタ外観部２８は、円筒状に形成される。アダプタ外観部２８は、金属材料で形成されている。アダプタ外観部２８は、第２開口部４ｂの内側においてスパウト部材４の奥側部分（スパウト部材４の内部側部分）から手前側部分（スパウト部材４の外部側部分）まで延びている。アダプタ外観部２８、アダプタ通水部３０、止め輪４２及び吐水口形成部材２２は、同一の中心軸線Ａ２を中心として取り付けられる。
【００３０】
アダプタ外観部２８は、スパウト内流路形成部材２０の下部の外装側部分２０ａに接続される接続部３２と、吐水口形成部材２２の外側面に形成された吐水口形成部材ねじ部２２ａと螺合するように自身の内側面に形成されたアダプタ部材ねじ部３４とを備えている。接続部３２は、外装側部分２０ａと止め輪４２との間でアダプタ外観部２８を外装側部分２０ａに対して接続した状態とする。
【００３１】
アダプタ外観部２８は、吐水口形成部材２２をスパウト内流路形成部材２０の外縁よりも外側の位置に支持する。アダプタ外観部２８は、第１開口部４ａの内径Ｄ１よりもスパウト部材４の内部側（奥側）に形成されなければならない開口部側端部２０ｂに対し、吐水口形成部材２２をスパウト部材４の外部側（手前側）に配置する。アダプタ外観部２８は、吐水口形成部材２２の下端の吐水口６をスパウト部材４の下面４ｃより下方側に所定高さＨまで突出させるように形成されている。アダプタ外観部２８及びアダプタ通水部３０の長さを変更する又は異なる長さのものに取り換えることにより、所定高さＨで示される突出量を自由に設定することができる。
【００３２】
アダプタ外観部２８は、止め輪４２がアダプタ外観部２８の内側において中心軸線Ａ２上に位置している状態において、止め輪４２の自然状態の外径Ｄ３より内側まで延びるフランジ部４４（図６参照）を備えている。止め輪４２の自然状態の外径Ｄ３は、フランジ部４４の内径Ｄ４よりも大きい。よって、アダプタ外観部２８を奥側に向けて挿入する際に、アダプタ外観部２８のフランジ部４４が止め輪４２を押し込むことができる。
【００３３】
アダプタ外観部２８は、止め輪保持部４８の外側且つ止め輪保持部４８と対向する内側面に、第２開口部４ｂの奥側に向かうにつれて内側に傾斜している第２テーパ部５０を備える。第２テーパ部５０は、止め輪４２の第３テーパ部４２ｂと平行に形成されている。第２テーパ部５０と第３テーパ部４２ｂとが接することにより、アダプタ外観部２８の第２テーパ部５０に手前側に抜ける力がかかる場合に、第２テーパ部５０から止め輪４２の第３テーパ部４２ｂに内側向きの力がかかる。よって、止め輪４２が止め輪保持部４８に向かってより強く押し付けられ、止め輪４２が止め輪保持部４８から手前側に抜けにくくすることができる。
【００３４】
アダプタ外観部２８は、さらに、第２テーパ部５０の終端部５０ａから、アダプタ外観部２８の挿入方向に沿って延びる挿入ガイド部５２を備えている。挿入ガイド部５２は、直線部分を形成している。挿入ガイド部５２は、中心軸線Ａ２に沿って延びる外装側部分２０ａの直線部分２０ｃとほぼ平行に形成される。挿入ガイド部５２は直線部分２０ｃと接しながら挿入を直線的にガイドすることができ且つ挿入方向をぶれにくくすることができる。
【００３５】
アダプタ通水部３０は、アダプタ通水部３０とスパウト内流路形成部材２０との間に設けられた第１シール部材３６によりスパウト内流路形成部材２０内の流路とのシール部分を形成すると共に、アダプタ通水部３０と吐水口形成部材２２との間に設けられた第２シール部材３８により吐水口形成部材２２とのシール部分を形成している。よって、アダプタ通水部３０は、スパウト内流路形成部材２０から吐水口形成部材２２まで延びる流路であるアダプタ流路４０を形成する。アダプタ流路４０は、二次側通水路１８から開口部側端部２０ｂよりも第２開口部４ｂ側に向かって、吐水口形成部材２２まで延伸する流路を形成している。アダプタ流路４０は、二次側通水路１８を第２開口部４ｂの近傍領域において第２開口部４ｂ側に拡張する流路である。
【００３６】
止め輪４２は、内側の内周面において円弧状に形成された円弧部分４２ａと、円弧部分４２ａの外側の外周面において奥側に向かうにつれて内側に傾斜している第３テーパ部４２ｂとを備えている。止め輪４２は、自然状態において内径Ｄ７を有している。止め輪４２は、樹脂製のＣリング部材である。止め輪４２には、切欠部分４２ｃ（図２参照）が形成され、止め輪４２が弾性を有するように形成されている。
【００３７】
図５に示すように、スパウト内流路形成部材２０は、第２開口部４ｂ側の開口部側端部２０ｂにおいて、第２開口部４ｂ側から奥側に向けて外側に傾斜する第１テーパ部４６と、第１テーパ部４６の終端部４６ａよりも奥側において、第１テーパ部４６の終端部４６ａの外径Ｄ５よりも小さな外径Ｄ６を有する止め輪保持部４８とを備えている。第１テーパ部４６は、円筒状に形成され、且つ奥側に向かって徐々に拡径するように形成されている。第１テーパ部４６は、止め輪４２を第２開口部４ｂ側から奥側に向けて挿入するにしたがって止め輪４２の内径を広げるように形成されている。第１テーパ部４６の終端部４６ａの外径Ｄ５は止め輪４２の自然状態の内径Ｄ７（図６参照）よりも大きい。さらに、第１テーパ部４６の基端部４６ｂの外径Ｄ８は、止め輪４２の自然状態の内径Ｄ７より小さい。第１テーパ部４６の終端部４６ａは、止め輪保持部４８と奥側方向に隣接して形成されている
【００３８】
止め輪保持部４８は、スパウト内流路形成部材２０の外装側部分２０ａに形成されている。外装側部分２０ａは内部通水路とは反対の外装の表面を形成する。止め輪保持部４８は、外装の表面から内側にくぼむ環状の凹み部分を形成している。
止め輪保持部４８は、止め輪４２の円弧部分４２ａが止め輪保持部４８に係合している状態で、止め輪４２を外れにくく保持することができる。
【００３９】
次に、図２、図５乃至図１１を用いて、本発明の一実施形態による水栓装置１の製造方法について説明する。図６乃至図１０においては、スパウト部材４を省略して示している。
図２に示すように、水栓装置１の製造方法においては、先ず、水栓本体８、スパウト内流路形成部材２０、吐水口形成部材２２、スパウト部材４及びアダプタ部材２４をそれぞれ準備する工程が実行される。スパウト部材４は、水栓本体８の外殻部材１０と一体に形成されているので、これらは一体としてともに準備される。水栓本体８に外殻部材１０の内部に水栓機能ユニット１２を設ける工程が実行される。また、水栓本体８の水栓機能ユニット１２に操作ハンドル２、湯供給管１４及び水供給管１６等が取付けられる工程も実行される。
【００４０】
次に、図２において矢印Ｂにより示すように、スパウト内流路形成部材２０をスパウト部材４の第１開口部４ａからスパウト部材４の内部に挿入することによりスパウト内流路形成部材２０がスパウト部材４内の二次側通水路１８を形成する工程が実行される。スパウト内流路形成部材２０をスパウト部材４内に挿入した後、蓋部２６が第１開口部４ａに取付けられ、第１開口部４ａが閉止される。
【００４１】
次に、図６に示すように、アダプタ部材２４のアダプタ外観部２８と止め輪４２とをスパウト内流路形成部材２０に取付けるため、止め輪４２をアダプタ外観部２８の内側に配置する工程が実行される。このとき、止め輪４２は、自然状態となっており、フランジ部４４と接している。
【００４２】
図７に示すように、止め輪４２及びアダプタ外観部２８がスパウト内流路形成部材２０に向かって挿入される工程が実行される。アダプタ外観部２８と止め輪４２とは中心軸線Ａ２に沿ってスパウト内流路形成部材２０に向かって挿入される。止め輪４２は第１テーパ部４６と接することにより、奥側に進むにつれて徐々に止め輪４２の外径が広げられる。止め輪４２はフランジ部４４により奥側に向けて押されている。
挿入ガイド部５２は第１テーパ部４６及び外装側部分２０ａの直線部分２０ｃに沿って、アダプタ外観部２８及び止め輪４２の挿入方向を中心軸線Ａ２の向きにガイドする。
【００４３】
図８に示すように、止め輪４２がさらに奥側に向けて挿入されると、止め輪４２の円弧部分４２ａが第１テーパ部４６の終端部４６ａに到達する。止め輪４２はフランジ部４４により奥側に向けて押し進められる。
図９に示すように、止め輪４２の円弧部分４２ａが第１テーパ部４６の終端部４６ａを乗り越えると止め輪４２の円弧部分４２ａが止め輪保持部４８と嵌合して比較的安定的な保持状態を形成する。
【００４４】
図１０に示すように、止め輪４２が止め輪保持部４８と嵌合した状態で、アダプタ外観部２８の第２テーパ部５０は、止め輪４２の第３テーパ部４２ｂによって支持される。よって、アダプタ外観部２８は、止め輪４２及びスパウト内流路形成部材２０から外れにくく且つスパウト内流路形成部材２０に接続された状態となる。
【００４５】
次に、図１１に示すように、アダプタ通水部３０がスパウト内流路形成部材２０に向かって挿入される工程が実行される。このとき、第１シール部材３６もアダプタ通水部３０と共に挿入される。第１シール部材３６によりアダプタ通水部３０とスパウト内流路形成部材２０とが水密に接続される。
【００４６】
次に、図１１に示すように、アダプタ通水部３０がスパウト内流路形成部材２０に接続された後、吐水口形成部材２２がスパウト内流路形成部材２０に向かって取付けられる工程が実行される。このとき第２シール部材３８も吐水口形成部材２２と共に挿入される。第２シール部材３８によりアダプタ通水部３０と吐水口形成部材２２とが水密に接続される。吐水口形成部材２２の吐水口形成部材ねじ部２２ａは、アダプタ部材ねじ部３４と螺合され、吐水口形成部材２２はアダプタ外観部２８に固定される。よって、図５に示すように、吐水口形成部材２２をスパウト部材４の下面４ｃより下方側に突出させた状態で取付けることができる。
【００４７】
上述した本発明の一実施形態による水栓装置１によれば、水栓本体８とスパウト部材４との間の継ぎ目を無くすように、水栓本体８と一体に形成され且つ水栓本体８と交差する方向に延びるスパウト部材４において、二重管構造を形成するためには、スパウト内流路形成部材２０を第１開口部４ａからスパウト部材４の内部に挿入することによりスパウト部材４内の流路を形成する。
これにより、仮に吐水口形成部材２２をスパウト内流路形成部材２０に直接接続する場合には、取付部分がスパウト部材４内の第１開口部４ａの大きさよりも半径方向内側に位置し、吐水口形成部材２２を第２開口部４ｂより下方側に突出させた状態で取付けることができず、吐水停止後等に水が表面張力により吐水口形成部材２２の吐水口６からスパウト部材４の第２開口部４ｂ及びさらに下方側の外面に沿って水栓本体８の設置面Ｆ１に流出してしまう恐れがある。
本実施形態においては、スパウト部材４がスパウト内流路形成部材２０を第１開口部４ａからスパウト部材４の内部に挿入することによりスパウト部材４内の流路を形成するように構成されている場合であっても、アダプタ部材２４がスパウト部材４の第２開口部４ｂから挿入されることによりスパウト内流路形成部材２０と接続され、さらに、アダプタ部材２４は、スパウト内流路形成部材２０から第２開口部４ｂに向かう流路を形成すると共に、吐水口形成部材２２をスパウト部材４の第２開口部４ｂより下方側に突出させた状態で取付けることができる。よって、吐水停止後等に水が表面張力により吐水口形成部材２２の吐水口６からスパウト部材４の第２開口部４ｂ及びさらに下方側の外面に沿って流出してしまうことを抑制することができる。また、アダプタ部材２４の長さを変更する又は異なる長さのものに取り換えることにより、吐水口形成部材２２のスパウト部材４の第２開口部４ｂより下方側への突出量を自由に設定することができる。
【００４８】
また、本発明の一実施形態による水栓装置１によれば、アダプタ部材２４において、アダプタ部材２４の外観を形成し且つスパウト内流路形成部材２０と吐水口形成部材２２とを接続するアダプタ外観部２８と、スパウト内流路形成部材２０から吐水口形成部材２２まで延びる流路を形成するアダプタ通水部３０とを分けることができる。このため、外観を形成するアダプタ外観部２８に金属材料を用いた場合に、アダプタ通水部３０内を通水する水がアダプタ外観部２８の金属に接触することを抑制することができる。
【００４９】
さらに、本発明の一実施形態による水栓装置１によれば、第１テーパ部４６は、止め輪４２を第２開口部４ｂ側から第２開口部４ｂの奥側に向けて挿入するにしたがって止め輪４２の外径を広げることができ、止め輪４２は第１テーパ部４６の終端部４６ａよりも奥側において第１テーパ部４６の終端部４６ａの外径よりも小さな外径を有する止め輪保持部４８に保持されることができる。よって、止め輪４２を第１テーパ部４６から止め輪保持部４８まで挿入することによりアダプタ部材２４とスパウト内流路形成部材２０とを接続することができる。
【００５０】
さらに、本発明の一実施形態による水栓装置１によれば、第１テーパ部４６の終端部４６ａは、止め輪保持部４８と隣接して形成されている。これにより、止め輪４２が十分に止め輪保持部４８に保持されていない状態においては、止め輪４２が自身の弾性力により第１テーパ部４６の終端部４６ａから基端部４６ｂに向けて抜けるように移動することができる。よって、止め輪４２が十分に止め輪保持部４８に保持されていない状態のまま、止め輪４２が第１テーパ部４６の終端部４６ａ近傍に留まってしまうことを抑制することができる。
【００５１】
さらに、本発明の一実施形態による水栓装置１によれば、第２テーパ部５０は第２開口部４ｂの奥側に向かうにつれて内側に傾斜しているので、アダプタ部材２４に第２開口部４ｂの手前側に抜ける力がかかる場合に、第２テーパ部５０によって止め輪４２に半径方向内側の止め輪保持部４８に向かう力がかかる。よって、止め輪４２は、止め輪保持部４８により強く保持され、止め輪４２が止め輪保持部４８から脱落することを抑制することができる。
【００５２】
さらに、本発明の一実施形態による水栓装置１によれば、挿入ガイド部５２がアダプタ外観部２８の挿入方向に沿って延び、アダプタ外観部２８の挿入をガイドできるので、アダプタ部材２４の挿入(組立)の作業性を向上させることができる。また、アダプタ外観部２８が挿入ガイド部５２を備えることにより、アダプタ部材２４の挿入時に、止め輪４２及びアダプタ外観部２８の中心軸の位置合わせが比較的容易となり、挿入の作業性を向上させることができる。
【００５３】
さらに、本発明の一実施形態による水栓装置１によれば、止め輪４２が、樹脂製のＣリング部材であるので、アダプタ部材２４がスパウト内流路形成部材２０から抜ける抜け止めの効果を奏すると共に、止め輪４２を第２開口部４ｂ側からスパウト内流路形成部材２０に向けて挿入する作業を比較的簡単に行うことができる。よって、抜け止めの効果と挿入する作業の作業性の向上とをバランスよく実現することができる。
【符号の説明】
【００５４】
１      ：水栓装置
２      ：操作ハンドル
４      ：スパウト部材
４ａ    ：第１開口部
４ｂ    ：第２開口部
４ｃ    ：下面
６      ：吐水口
８      ：水栓本体
１０    ：外殻部材
１２    ：水栓機能ユニット
１４    ：湯供給管
１６    ：水供給管
１８    ：二次側通水路
２０    ：スパウト内流路形成部材
２０ａ  ：外装側部分
２０ｂ  ：開口部側端部
２０ｃ  ：直線部分
２２    ：吐水口形成部材
２２ａ  ：吐水口形成部材ねじ部
２４    ：アダプタ部材
２６    ：蓋部
２８    ：アダプタ外観部
３０    ：アダプタ通水部
３２    ：接続部
３４    ：アダプタ部材ねじ部
３６    ：第１シール部材
３８    ：第２シール部材
４０    ：アダプタ流路
４２    ：止め輪
４２ａ  ：円弧部分
４２ｂ  ：第３テーパ部
４４    ：フランジ部
４６    ：第１テーパ部
４６ａ  ：終端部
４６ｂ  ：基端部
４８    ：止め輪保持部
５０    ：第２テーパ部
５０ａ  ：終端部
５２    ：挿入ガイド部
Ａ１    ：回転中心軸線
Ａ２    ：中心軸線
Ｆ１    ：設置面
Ｈ      ：所定高さ
【図１】
2019218801.tif 000003
【図２】
2019218801.tif 000004
【図３】
2019218801.tif 000005
【図４】
2019218801.tif 000006
【図５】
2019218801.tif 000007
【図６】
2019218801.tif 000008
【図７】
2019218801.tif 000009
【図８】
2019218801.tif 000010
【図９】
2019218801.tif 000011
【図１０】
2019218801.tif 000012
【図１１】
2019218801.tif 000013